(57)【要約】  スクロール圧縮機は、密閉容器２０内に、電動機部８，９と、電動機部８，９に連結された圧縮機構部１，２，３と、潤滑油の油溜め１９とを有し、圧縮機構部１，２，３にて冷媒を圧縮するスクロール圧縮機において、冷媒は、少なくともＨＦＯ−１１２３を含む混合冷媒であり、密閉容器２０内で摺れ合う関係の摺動部を構成している２つの部品のうち、少なくとも一方の部品の摺動面は、鉄系金属又はアルミ系金属が直接露出しない構成となっている。
2015140869.tif 000002
【特許請求の範囲】
【請求項１】
密閉容器内に、電動機部と、前記電動機部に連結された圧縮機構部と、潤滑油の油溜めとを有し、前記圧縮機構部にて冷媒を圧縮するスクロール圧縮機において、
前記冷媒は、少なくともＨＦＯ−１１２３を含む混合冷媒であり、
前記密閉容器内で摺れ合う関係の摺動部を構成している２つの部品のうち、少なくとも一方の部品の摺動面は、鉄系金属又はアルミ系金属が直接露出しない構成となっているスクロール圧縮機。
【請求項２】
前記混合冷媒は、前記ＨＦＯ−１１２３に、Ｒ３２またはＨＦＯ−１２３４ｙｆを混合した混合冷媒である請求項１記載のスクロール圧縮機。
【請求項３】
前記摺動部を構成している２つの部品のうち、少なくとも一方の部品の摺動面に、鉄及びアルミを含まないコーティング処理又は皮膜処理がされた請求項１または請求項２に記載のスクロール圧縮機。
【請求項４】
前記圧縮機構部は、
巻方向が互いに逆の渦巻部を組み合わせることによって圧縮室を形成する固定スクロール及び揺動スクロールと、
前記揺動スクロールの反圧縮室側に設けられた揺動軸受と、
前記揺動スクロールのスラスト軸受面をスラストプレートを介して支持するフレームと、
キーとなる上下の凸部が前記揺動スクロールと前記フレームとに収容され前記揺動スクロールの自転を防止するオルダムリングと、
前記揺動スクロールに駆動力を伝達し、前記フレームの中心部に設けられた主軸受を貫通し、前記油溜めの潤滑油を前記摺動部に供給するオイルポンプに連結された主軸と、
前記揺動軸受に回転自在に収められたスライダと、
前記主軸受に回転自在に収められたスリーブと、を備えた請求項１〜請求項３の何れか１項に記載のスクロール圧縮機。
【請求項５】
前記主軸と前記スライダの間にスライダプレートを備えたことを特徴とする請求項４記載のスクロール圧縮機。
【請求項６】
前記圧縮機構部は、
巻方向が互いに逆の渦巻部を組み合わせることによって圧縮室を形成する固定スクロール及び揺動スクロールと、
キーとなる上下の凸部が前記固定スクロールと前記揺動スクロールとに収容され前記揺動スクロールの自転を防止するオルダムリングと、
前記揺動スクロールの反圧縮室側に設けられた揺動軸受と、
前記揺動スクロールのスラスト面にスラスト軸受部材を配設し、前記スラスト軸受部材をスラストプレートを介して支持するフレームと、
前記揺動スクロールに駆動力を伝達し、前記フレームの中心部に設けられた主軸受を貫通し、前記油溜めの潤滑油を前記摺動部に供給するオイルポンプに連結された主軸と、
前記揺動軸受に回転自在に収められたスライダと、
前記主軸と前記スライダの間のスライダプレートと、
前記主軸受に回転自在に収められたスリーブと、を備えた請求項１〜請求項３の何れか１項に記載のスクロール圧縮機。
【請求項７】
前記圧縮機構部は、
巻方向が互いに逆の渦巻部を組み合わせることによって圧縮室を形成する固定スクロール及び揺動スクロールと、
前記揺動スクロールの反圧縮室側に設けられた揺動軸受と、
前記揺動スクロールのスラスト面に配設されたスラストプレートと、
前記スラストプレートを支持する部位にスラスト軸受部材を配設したフレームと、
キーとなる上下の凸部が前記揺動スクロールと前記フレームとに収容され前記揺動スクロールの自転を防止するオルダムリングと、
前記揺動スクロールに駆動力を伝達し、前記フレームの中心部に設けられた主軸受を貫通し、前記油溜めの潤滑油を各摺動部に供給するためのオイルポンプに連結された主軸と、
前記揺動軸受に回転自在に収められたスライダと、
前記主軸と前記スライダの間のスライダプレートと、
前記主軸受に回転自在に収められたスリーブと、を備えた請求項１〜請求項３の何れか１項に記載のスクロール圧縮機。
【請求項８】
前記圧縮機構部は、
巻方向が互いに逆の渦巻部を組み合わせることによって圧縮室を形成する固定スクロール及び揺動スクロールと、
前記揺動スクロールの反圧縮室側に設けられた揺動軸ピポッド部と、
前記揺動スクロールのスラスト面に配設されたスラストプレートと、
前記スラストプレートを支持する部位にスラスト軸受部材が配設された第１のフレームと、
前記第１のフレームの下部に配置された第２のフレームと、
キーとなる上下の凸部が前記揺動スクロールと前記第１のフレームとに収容され前記揺動スクロールの自転を防止するオルダムリングと、
前記揺動スクロールに駆動力を伝達し、前記第１のフレームの中心部に設けられた上部主軸受と前記第２のフレームの中心部に設けられた下部主軸受を貫通し、前記油溜めの潤滑油を前記摺動部に供給するためのオイルポンプに連結され、自重が前記第２のフレームの副スラスト軸受にて支持される主軸と、
前記揺動軸ピポッド部を収容するスリーブと、
前記主軸に前記スリーブを回転自在に収容する揺動軸受と、を備えた請求項１〜請求項３の何れか１項に記載のスクロール圧縮機。
【請求項９】
前記圧縮機構部は、
巻方向が互いに逆の渦巻部を組み合わせることによって圧縮室を形成する固定スクロール及び揺動スクロールと、
キーとなる上下の凸部が前記固定スクロールと前記揺動スクロールとに収容されて前記揺動スクロールの自転を防止するオルダムリングと、
前記揺動スクロールの反圧縮室側に設けられた揺動軸受と、
前記揺動スクロールのスラスト面を支持するコンプライアントフレームと、
前記コンプライアントフレームを摺動自在に収容するガイドフレームと、
前記揺動スクロールに駆動力を伝達し、前記コンプライアントフレームの中心部に設けられた主軸受と補助主軸受を貫通し、前記油溜めの潤滑油を前記摺動部に供給するためのオイルポンプに連結され、自重をサブフレームのスラスト軸受にて支持する主軸と、を備えた請求項１〜請求項３の何れか１項に記載のスクロール圧縮機。
【請求項１０】
前記圧縮機構部は、
渦巻部を対向して配置した一対の固定スクロールと、
前記一対の固定スクロールの間にあって前記一対の固定スクロールの各渦巻部にそれぞれ嵌合する渦巻部を軸方向の両側に有し、前記一対の固定スクロールとの間で圧縮室を形成する揺動スクロールと、
キーとなる上下の凸部の一方が前記固定スクロールの一方に、前記上下の凸部の他方が前記揺動スクロールに、それぞれ収容されて前記揺動スクロールの自転を防止するオルダムリングと、
前記揺動スクロールの中心部を貫通する揺動軸受と、
前記各固定スクロールの中心部に設けられた上部主軸受及び下部主軸受と、
前記揺動軸受、前記上部主軸受及び前記下部主軸受を貫通し、前記油溜めの潤滑油を前記摺動部に供給するためのオイルポンプに連結され、自重を一方の固定スクロールのスラスト軸面にて支持する主軸と、
前記揺動軸受に回転自在に収められたスライダと、
前記下部主軸受に回転自在に収められたスリーブと、を備えた請求項１〜請求項３の何れか１項に記載のスクロール圧縮機。
【発明の詳細な説明】
【技術分野】
【０００１】
この発明は、主に冷凍機、空気調和機、給湯機に搭載されるスクロール圧縮機に関するものである。
【背景技術】
【０００２】
発明者らは、近年の地球温暖化への対策として、いわゆる地球温暖化係数（ＧＷＰ）が小さい冷媒を使用するスクロール圧縮機を検討している。その中で、地球温暖化係数が０であるＨＦＯ−１１２３を用いることが有望であることがわかってきた。
従来、Ｒ１２７０（プロピレン）を冷媒として挙げている文献もあるが（例えば特許文献１）、それは炭化水素の一例として他の二重結合を有さない炭化水素と並列して記載されており、組成中に炭素の二重結合を有するハロゲン化炭化水素又は炭化水素の例示として挙げられたものではない。さらに、Ｒ１２７０は地球温暖化係数が３であり、更なる改善が求められていた。
【先行技術文献】
【特許文献】
【０００３】
【特許文献１】特開２０００−２７４３６０号公報（第２頁、図１）
【発明の概要】
【発明が解決しようとする課題】
【０００４】
上記のように、ＨＦＯ−１１２３は、地球温暖化係数が０であるため、地球温暖化対策の面からは、好適な冷媒である。一方で、組成中に炭素の二重結合を有するＨＦＯ−１１２３は、二重結合のない組成に比べて安定性が低下するため、不均化反応（自己分解反応）が発生する場合がある。【０００５】
この発明は、上記の課題を解決するためになされたもので、その目的は、ＨＦＯ−１１２３を使用し且つ不均化反応の発生を抑制した信頼性の高いスクロール圧縮機を得ることを目的とする。
【課題を解決するための手段】
【０００６】
この発明に係るスクロール圧縮機は、密閉容器内に、電動機部と、前記電動機部に連結された圧縮機構部と、潤滑油の油溜めとを有し、前記圧縮機構部にて冷媒を圧縮するスクロール圧縮機において、前記冷媒は、少なくともＨＦＯ−１１２３を含む混合冷媒であり、前記密閉容器内で摺れ合う関係の摺動部を構成している２つの部品のうち、少なくとも一方の部品の摺動面は、鉄系金属又はアルミ系金属が直接露出しない構成となっている。
【発明の効果】
【０００７】
この発明に係るスクロール圧縮機は、ＨＦＯ−１１２３を含む混合冷媒を使用しているため、環境負荷を軽減することができる。さらに、ＨＦＯ−１１２３を含む混合冷媒を使用しているため、ＨＦＯ−１１２３を単独で使用する場合と比較して、不均化反応が発生するおそれが抑制されている。しかも、摺動部にて金属同士が摺動しないようになっているので、摺動部での温度上昇が抑制されており、不均化反応が発生するおそれが更に抑制されている。
【図面の簡単な説明】
【０００８】
【図１】この発明の実施の形態１に係るスクロール圧縮機の縦断面を概略的に記載した概略図である。
【図２】図１に記載の揺動スクロールとスラストプレートとで構成される摺動部を説明するための斜視図である。
【図３】図１に記載の揺動スクロールと固定スクロールとで構成される摺動部を説明するための拡大図である。
【図４】図１に記載の揺動スクロールとシール、及び固定スクロールとシールで構成される摺動部を説明するための拡大図である。
【図５】図１に記載の揺動スクロールとオルダムリング、及びオルダムリングとフレームで構成される摺動部を説明するための斜視図である。
【図６】図１に記載の揺動スクロールとスライダ、及びスライダと主軸で構成される摺動部を説明するための斜視図である。
【図７】図１に記載のフレームとスリーブ、及びスリーブと主軸で構成される摺動部を説明するための斜視図である。
【図８】この発明の実施の形態２に係るスクロール圧縮機のスライダの中に入るスライダプレートと主軸との摺動部を説明するための斜視図である。
【図９】図８に記載のスライダとスライダプレートと主軸とを組み立てた組立図である。
【図１０】この発明の実施の形態３に係るスクロール圧縮機の縦断面を概略的に記載した概略図である。
【図１１】図１０に記載の揺動スクロールとオルダムリング、及び固定スクロールとオルダムリングで構成される摺動部を説明するための斜視図である。
【図１２】図１０に記載の揺動スクロールに設けられたスラスト軸受部材とスラストプレートで構成される摺動部を説明するための斜視図である。
【図１３】この発明の実施の形態４に係るスクロール圧縮機の縦断面を概略的に記載した概略図である。
【図１４】図１３に記載の揺動スクロールに設けたスラストプレートとフレームに設けたスラスト軸受部材とで構成される摺動部を説明するための斜視図である。
【図１５】この発明の実施の形態５に係るスクロール圧縮機の縦断面を概略的に記載した概略図である。
【図１６】図１５に記載の圧縮機構部の拡大図である。
【図１７】この発明の実施の形態６に係るスクロール圧縮機の縦断面を概略的に記載した概略図である。
【図１８】この発明の実施の形態７に係るスクロール圧縮機の縦断面を概略的に記載した概略図である。
【発明を実施するための形態】
【０００９】
以下、図面を参照して、この発明の実施の形態について説明する。なお、各図中、同一または相当する部分には、同一符号を付して、その説明を適宜省略または簡略化する。
【００１０】
実施の形態１．
図１は、この発明の実施の形態１に係るスクロール圧縮機の縦断面を概略的に記載した概略図である。このスクロール圧縮機は、固定スクロール１、揺動スクロール２、固定スクロール１を固定配置するフレーム３、フレーム３の中心に位置する主軸受４、揺動スクロール２の中心に位置する揺動軸受５を有する。また、揺動スクロール２を軸方向に支持するスラスト軸受となるスラストプレート６、揺動スクロール２の自転を防止し揺動運動を与えるオルダムリング７、電動機（電動機部）を構成する電動機ロータ８及び電動機ステータ９を備える。
さらに、電動機によって回転駆動される主軸１０と、揺動スクロール２を公転運動させるために揺動スクロール２を支持するスライダ１１と、スライダ１１が主軸１０から偏芯するように主軸１０の上部に設置されたスライダ装着軸である偏芯スライダ軸１０ａを有する。また、偏芯スライダ軸１０ａの近傍にあり、フレーム３の中心に位置する主軸受４と主軸１０を円滑に回転運動させるためのスリーブ１２、および、主軸１０の偏芯スライダ軸１０ａによって揺動運動を行う揺動スクロール２と主軸１０との回転中心のアンバランスを相殺するためのバランサ１３，１４を備える。
主軸１０の軸方向下部にはサブフレーム１５があり、サブフレーム１５の中央に形成された軸受収容部１５ａにボールベアリング１６の外輪を圧入固定している。また、サブフレーム１５には、容積型のオイルポンプ１８が備わっており、オイルポンプ１８に回転力を伝達するポンプ軸１０ｂが主軸１０に一体的に成形されている。主軸１０の中央にはポンプ軸１０ｂ下端から主軸１０の上端まで貫通する油穴１０ｃが設けられており、下端側で油穴１０ｃはオイルポンプ１８と連通している。
【００１１】
上記の各要素を収容する密閉容器２０は、密閉容器胴部２０ａ、密閉容器下部２０ｂ、及び密閉容器上部２０ｃの３つの部分から構成されている。密閉容器胴部２０ａの上段には、固定スクロール１、揺動スクロール２、フレーム３等から構成される圧縮機構部が配置され、また冷媒を容器内に取り込む吸入管２１が設けられている。密閉容器上部２０ｃの下段には、電動機ロータ８および電動機ステータ９が配置されている。密閉容器下部２０ｂには油溜め１９が形成されており、密閉容器上部２０ｃには圧縮した冷媒を容器外に吐き出す吐出管２２が設けられている。
【００１２】
図２は、図１に記載の揺動スクロール２とスラストプレート６とで構成される摺動部を説明するための斜視図である。スラストプレート６は、揺動スクロール２を軸方向に支持するスラスト軸受となっている。揺動スクロール２とスラストプレート６とは、摺れ合う関係にあり摺動部を構成している。すなわち、揺動スクロール２の背面（渦巻形状のある面と反対の面）にスラスト軸受部２ｈが形成され、それがスラストプレート６の摺動面６ａと潤滑油を介して密着して、スラスト軸受を構成している。
揺動スクロール２は、鋳鉄などの鉄系金属あるいはＡｌ−Ｓｉ系の合金属で形成し、スラスト軸受部２ｈを含む揺動スクロール２の表面に、ＤＬＣ（ダイヤモンドライクカーボン）、ＤＬＣ−Ｓｉ（ダイヤモンドライクカーボン−シリコン）、ＣｒＮ（窒化クロム）、ＴｉＮ（窒化チタン）、ＴｉＣＮ（炭窒化チタン）、ＷＣＣ（タングステンカーバイドコーティング）、ＶＣ（バナジウムカーバイド）などのいずれかのコーティング、あるいは、リン酸マンガン皮膜、二硫化モリブデン皮膜などのいずれかの皮膜処理を施している。
また、スラストプレート６は、鉄系金属あるいはアルミ系金属で形成されている。しかしながら、摺動面６ａを含むスラストプレート６の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００１３】
図３は、図１に記載の揺動スクロール２と固定スクロール１とで構成される摺動部を説明するための拡大図である。揺動スクロール２の渦巻形状を構成しているラップ部２ａと、固定スクロール１の渦巻形状を構成しているラップ部１ａとは、摺れ合う関係にあり摺動部を構成している。すなわち、揺動スクロール２の鏡板２ｂに概略垂直に渦巻形状に形成されたラップ部２ａと、固定スクロール１の鏡板１ｂに概略垂直に渦巻形状に形成されたラップ部１ａとが、潤滑油を介して密着して圧縮室２３を構成している。
揺動スクロール２のラップ部２ａは、揺動スクロール２と同材料の鋳鉄などの鉄系金属あるいはＡｌ−Ｓｉ系の合金属で形成されている。しかしながら、ラップ部２ａの側面２ｄを含む揺動スクロール２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、固定スクロール１のラップ部１ａは、固定スクロール１と同材料の鋳鉄などの鉄系金属あるいはＡｌ−Ｓｉ系の合金属で形成されている。しかしながら、ラップ部１ａの側面１ｄを含む固定スクロール１の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００１４】
図４は、図１に記載の揺動スクロール２とシール２５、及び固定スクロール１とシール２４で構成される摺動部を説明するための拡大図である。
揺動スクロール２のラップ部２ａと、固定スクロール１のラップ部１ａとが潤滑油を介して密着している。圧縮室２３を構成する際に、各ラップ部１ａ，２ａの先端面からの冷媒漏れを低減するために、それらの先端面に渦巻形状に沿って設けた溝にシール２４，２５を配設している。固定スクロール１のラップ部１ａの先端面にはシール２４が設けられており、そのシール２４部分と揺動スクロール２の鏡板２ｂのラップ部２ａ側の歯底面２ｅとは、摺れ合う関係にあり摺動部を構成している。また、揺動スクロール２のラップ部２ａの先端面にはシール２５が設けられており、そのシール２５部分と固定スクロール１の鏡板１ｂのラップ部１ａ側の歯底面１ｅとは、摺れ合う関係にあり摺動部を構成している。これらのシール２４，２５は、ＰＴＦＥ（ポリテトラフルオロエチレン）、ＰＰＳ（ポリフェニレンサルファイド）、ＬＣＰ（液晶ポリマ）、セラミックなどの非金属材料で形成されている。
一方、固定スクロール１の歯底面１ｅは、固定スクロール１と同材料の鋳鉄などの鉄系金属あるいはＡｌ−Ｓｉ系の合金属で形成されている。しかしながら、固定スクロール１の歯底面１ｅを含む固定スクロール１の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。また、揺動スクロール２の歯底面２ｅは、揺動スクロール２と同材料の鋳鉄などの鉄系金属あるいはＡｌ−Ｓｉ系の合金属で形成されている。しかしながら、揺動スクロール２の歯底面２ｅを含む揺動スクロール２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００１５】
図５は、図１に記載の揺動スクロール２とオルダムリング７、及びオルダムリング７とフレーム３で構成される摺動部を説明するための斜視図である。
揺動スクロール２の鏡板２ｂのラップ部２ａを形成した側と反対側の背面に設けたオルダム溝２ｆと、オルダムリング７のキーである上側凸部７ａとは、摺れ合う関係にあり摺動部を構成している。また、フレーム３の主軸受４の近傍に設けたオルダム溝３ｆとオルダムリング７のキーである下側凸部７ｂとは、摺れ合う関係にあり摺動部を構成している。すなわち、揺動スクロール２の鏡板２ｂのラップ部２ａを形成した側と反対側の背面には、揺動スクロール２の自転を防止し揺動スクロール２に揺動運動を与えるために、オルダムリング７の上側凸部７ａを収容してそれを摺動させるオルダム溝２ｆを備えている。
オルダム溝２ｆは、揺動スクロール２と同材料の鋳鉄などの鉄系金属あるいはＡｌ−Ｓｉ系の合金属で形成されている。しかしながら、揺動スクロール２のオルダム溝２ｆを含む揺動スクロール２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、固定スクロール１と締結されるフレーム３にオルダム溝３ｆを設け、そこにオルダムリング７の下側凸部７ｂを収容することによって、揺動スクロール２は固定スクロール１と揺動運動することができるようになっている。
フレーム３のオルダム溝３ｆは、フレーム３と同材料の鋳鉄などの鉄系金属で形成されている。しかしながら、フレーム３のオルダム溝３ｆを含むフレーム３の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。オルダムリング７の各凸部７ａ，７ｂは、オルダムリング７と同材料の焼結などの鉄系金属あるいはアルミ系の合金属の高剛性で、且つ、軽量な材料で形成されている。しかしながら、オルダムリング７の各凸部７ａ，７ｂを含むオルダムリング７の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００１６】
図６は、図１に記載の揺動スクロール２とスライダ１１、及びスライダ１１と主軸１０で構成される摺動部を説明するための斜視図である。
揺動スクロール２の鏡板２ｂのラップ部２ａを形成した側と反対側の背面中央に設けられた揺動軸受５の内周と、主軸１０の回転中心から偏芯して揺動軸を駆動するスライダ１１の外周とは摺れ合う関係にあり摺動部を構成している。また、スライダ１１を装着する偏芯スライダ軸１０ａと、スライダ１１の内側のスライド面１１ａとは摺れ合う関係にあり摺動部を構成している。すなわち、揺動軸受５の内側には、スライダ１１が収容され、揺動軸受５の内周とスライダ１１の外周とが潤滑油を介して密着し、揺動軸受部を構成している。スライダ１１の内側には、主軸１０の偏芯スライダ軸１０ａが挿入される。スライダ１１の内側のスライド面１１ａと潤滑油を介して密着するのは、偏芯スライダ軸１０ａの平面部のほぼ中央にある第１ピポッド部１０ｄであり、第１ピポッド部１０ｄは平面部から概略円弧形状あるいは概略球形状で突出した部分である。
揺動軸受５の内周面には、ＰＴＦＥ、ＰＯＭ（ポリアセタール）、カーボンなどを主成分とした非金属系の材料が使用されている。スライダ１１は、焼結または合金工具鋼などの高硬度な鉄系金属で形成されている。しかしながら、スライダ１１の外周面またはスライド面１１ａを含むスライダ１１の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、第１ピポッド部１０ｄは、主軸１０と同材料の鋳鉄または機械構造用合金鋼などの鉄系金属で形成されている。しかしながら、第１ピポッド部１０ｄを含む主軸１０の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００１７】
図７は、図１に記載のフレーム３とスリーブ１２、及びスリーブ１２と主軸１０で構成される摺動部を説明するための斜視図である。
フレーム３の中央に設けられた主軸受４の内周とスリーブ１２の外周とは、摺れ合う関係にあり摺動部を構成している。また、スリーブ１２の内周面１２ａと主軸１０の第２ピポッド部１０ｅとは、摺動関係にあり摺動部を構成している。すなわち、主軸受４の内側にスリーブ１２が収容され、主軸受４の内周とスリーブ１２の外周が潤滑油を介して密着して主軸受部を構成している。また、スリーブ１２の内側には主軸１０が挿入され、スリーブ１２の内側の内周面１２ａと主軸１０の第２ピポッド部１０ｅとが潤滑油を介して密着している。第２ピポッド部１０ｅは円筒面から概略円弧形状あるいは球形状で突出した形状を有している。
主軸受４の内周面には、ＰＴＦＥ、ＰＯＭ、カーボンなどを主成分とした非金属系の材料が使用されている。スリーブ１２は、焼結または合金工具鋼などの高硬度な鉄系金属で形成されている。しかしながら、スリーブ１２の外周または内周面１２ａを含むスリーブ１２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。また、主軸１０の第２ピポッド部１０ｅは、主軸１０と同材料の鋳鉄または機械構造用合金鋼などの鉄系金属で形成されている。しかしながら、主軸１０の第２ピポッド部１０ｅを含む主軸１０の表面には、ＤＬＣ、ＤＬＣ−Ｓｉ、ＣｒＮ、ＴｉＮ、ＴｉＣＮ、ＷＣＣ、ＶＣのいずれかのコーティング、あるいは、リン酸マンガン皮膜、二硫化モリブデン皮膜のいずれかの皮膜処理が施されている。
【００１８】
次に、実施の形態１のスクロール圧縮機の動作について説明する。電動機ステータ９に電源が印加されると、電動機ロータ８によって主軸１０が回転駆動される。すると、その回転力が偏芯スライダ軸１０ａを収容しているスライダ１１を介して揺動軸受５に伝わり、そこから揺動スクロール２へ伝えられる。このとき、揺動スクロール２のオルダム溝２ｆとフレーム３のオルダム溝３ｆ内で往復運動するオルダムリング７によって、揺動スクロール２の自転が抑制され揺動運動を行う。
主軸１０の回転を支持する主軸受４を有するフレーム３と、ボールベアリング１６の外輪を圧入固定している軸受収容部１５ａを中央に有するサブフレーム１５とは、密閉容器２０内に固定される。このときに、固定時の精度ばらつきまたは部品個々の精度ばらつきによって、主軸受４とボールベアリング１６とに軸芯ずれが生じる。また、主軸１０のたわみも加わり、主軸受４と主軸１０、ボールベアリング１６と主軸１０は必ずしも平行にはならない。そこで、ここでは、主軸受４内の摺動面を平行にするために、主軸１０と主軸受４との間にスリーブ１２を収容している。主軸受４とボールベアリング１６との軸芯ずれが生じた場合、主軸１０は主軸受４に対し傾斜するが、第２ピポッド部１０ｅがスリーブ１２の内周面に接触し、傾きを第２ピポッド部１０ｅが吸収することによって、スリーブ１２の外周は常時平行に主軸受４と摺動することができる。
揺動スクロール２には遠心力が発生し、主軸１０の偏芯スライダ軸１０ａは、スライダ１１内のスライド面１１ａのスライド範囲内でスライドし、揺動スクロール２のラップ部２ａと固定スクロール１のラップ部１ａが接触して圧縮室２３を構成する。揺動スクロール２の遠心力の荷重及び冷媒を圧縮するために発生する半径方向の荷重は、主軸１０の偏芯スライダ軸１０ａに加わり、偏芯スライダ軸１０ａがたわむため、偏芯スライダ軸１０ａは、揺動スクロール２の鏡板２ｂのラップ部２ａを形成した側と反対側の背面中央に設けられた揺動軸受５の内側に対して、必ずしも平行にはならなくなる。そこで、ここでは、揺動軸受５内の摺動面を平行にするために、主軸１０の偏芯スライダ軸１０ａと揺動軸受５との間にスライダ１１を収容している。偏芯スライダ軸１０ａがたわむことで、主軸１０の偏芯スライダ軸１０ａは揺動軸受５に対して傾斜するが、第１ピポッド部１０ｄがスライダ１１のスライド面１１ａに接触し、傾きを第１ピポッド部１０ｄが吸収することによって、スライダ１１の外周は常時平行に揺動軸受５と摺動することができる。
【００１９】
このスクロール圧縮機で圧縮する冷媒は、「ＨＦＯ−１１２３」を含む混合冷媒である。例えば、「ＨＦＯ−１１２３」を含む混合冷媒は、「ＨＦＯ−１１２３」と「Ｒ３２」との混合冷媒、または、「ＨＦＯ−１１２３」と「ＨＦＯ−１２３４ｙｆ」との混合冷媒である。冷媒は、吸入管２１から密閉容器２０に吸入され、フレーム３の吸入ポート３ａから揺動スクロール２のラップ部２ａと固定スクロール１のラップ部１ａとによって形成される圧縮室２３に入る。圧縮室２３は、揺動スクロール２の揺動運動によって、揺動スクロール２の中心へ移動し、さらに体積が縮小されることによって、冷媒が圧縮される。このとき、圧縮された冷媒によって、固定スクロール１と揺動スクロール２とが軸方向に離れようとする荷重が働くが、その荷重は、揺動スクロール２の鏡板２ｂ背面のスラスト軸受部２ｈとスラストプレート６とによって構成された軸受にて支えられる。圧縮された冷媒は、固定スクロール１の吐出ポート１ｆを通り、吐出弁２６を押し開けて密閉容器２０内の高圧部を通り、吐出管２２を介して密閉容器２０から吐出される。
【００２０】
以上のような一連の動作の中で、以下のような要素同士が摺れ合っており、それらが摺動部を構成している。
（ａ）揺動スクロール２のスラスト軸受部２ｈと、スラストプレート６の摺動面６ａ
（ｂ）揺動スクロール２のラップ部２ａと、固定スクロール１のラップ部１ａ
（ｃ）固定スクロール１のラップ部１ａの先端面に配設されたシール２４と、揺動スクロール２の鏡板２ｂのラップ部２ａ側の歯底面２ｅ
（ｄ）揺動スクロール２のラップ部２ａの先端面に配設されたシール２５と、固定スクロール１の鏡板１ｂのラップ部１ａ側の歯底面１ｅ
（ｅ）揺動スクロール２の鏡板２ｂのラップ部２ａを形成した側と反対側の背面に設けたオルダム溝２ｆと、オルダムリング７のキーである上側凸部７ａ
（ｆ）フレーム３の主軸受４の近傍に設けたオルダム溝３ｆと、オルダムリング７のキーである下側凸部７ｂ
（ｇ）揺動スクロール２の鏡板２ｂのラップ部２ａを形成した側と反対側の背面中央に設けられた揺動軸受５の内周と、スライダ１１の外周
（ｈ）主軸１０の回転中心から偏芯して揺動軸を駆動するスライダ１１を装着する偏芯スライダ軸１０ａの第１ピポッド部１０ｄと、スライダ１１のスライド面１１ａ
（ｉ）フレーム３の中央に設けられた主軸受４の内周と、主軸１０の回転を支持するスリーブ１２の外周
（ｊ）スリーブ１２の内周と、主軸１０の第２ピポッド部１０ｅ。
なお、実施の形態１のスクロール圧縮機が有する摺動部を表１にまとめて示した。表１では、摺動部を構成する２つの部品（第１部品、第２部品）の名称と、それらの部品の母材名とを記載した。また、摺動部を構成する２つの部品に、前述した表面処理（コーティングで代表表示）を施し、若しくはセラミック材または樹脂への置き換えを行うことを、＊印によって明示した。
【表１】
2015140869.tif 000003
これらの摺動部には、密閉容器２０の下端の油溜め１９の潤滑油が供給される。すなわち、主軸１０の回転によってポンプ軸１０ｂでオイルポンプ１８が駆動され、油溜め１９の潤滑油が、主軸１０の下端から上端まで貫通する油穴１０ｃを介して上記の摺動部に供給される。
【００２１】
上記のように、この実施の形態に係るスクロール圧縮機は、ＨＦＯ−１１２３を含む混合冷媒を使用しているため、環境負荷が低減されている。
さらに、この実施の形態に係るスクロール圧縮機は、ＨＦＯ−１１２３を含む混合冷媒を使用しているため、ＨＦＯ−１１２３を単独で使用する場合と比較して、不均化反応が発生するおそれが抑制されている。
しかも、この実施の形態に係るスクロール圧縮機では、金属同士が摺動しないようになっており、且つ、摺動部は密閉容器２０内に吸入された比較的に温度が低い冷媒で冷却されているため、摺動部での温度上昇が抑制されている。したがって、この実施の形態に係るスクロール圧縮機では、不均化反応が発生するおそれが抑制されている。
【００２２】
また、この実施の形態に係るスクロール圧縮機では、ＨＦＯ−１１２３の化学反応を促進する金属触媒となり得る鉄系又はアルミ系金属が、高温になり易い摺動部の摺動面に、直接露出しないように構成されている。具体的には、摺動面の少なくとも一方の側に、コーティング、皮膜、若しくは、非金属材料への置換などの対策が施されている。その結果、冷媒の分解および重合が抑制されるため、スラッジの発生が抑制される。このため、この実施の形態では、圧縮機の故障および冷凍回路内の詰まりが抑制されており、圧縮機の長期にわたる信頼性を得ることができる。
なお、この実施の形態のスクロール圧縮機では、潤滑油として、従来から一般に用いられてきた、ＰＯＥ（ポリオールエステル）、ＰＶＥ（ポリビニールエーテル）、ＰＡＧ（ポリアルキレングルコール）、ＰＡＯ（ポリアルファオレフィン）、ＡＢ（アルキルベンゼン）、ＭＯ（鉱油）などを使用する。それらの潤滑油の粘度は、潤滑が十分にでき、かつスクロール圧縮機の性能を低下させないように選定される必要がある。潤滑油の動粘度（４０℃における）は、好適には、５〜３００［ｃＳｔ］程度である。
【００２３】
実施の形態２．
実施の形態１では、図７に示すように、スライダ１１の内側のスライド面１１ａを密着面とした。実施の形態２は、実施の形態１とは異なり、スライダ１１の内側にスライダプレート２７を配置して、第１ピポッド部１０ｄとスライダプレート２７とを潤滑油を介して密着させて摺動部を構成した。なお、以下の説明では、実施の形態１と重複する部分については、説明を省略する。
図８は、この発明の実施の形態２に係るスクロール圧縮機のスライダ１１の中に入るスライダプレート２７と主軸１０との摺動部を説明するための斜視図である。図９は、図８に記載のスライダ１１とスライダプレート２７と主軸１０とを組み立てた組立図である。スライダ１１の内側にはスライダプレート２７が備わり、スライダ１１の内側に主軸１０の偏芯スライダ軸１０ａが挿入されている。スライダプレート２７と潤滑油を介して密着するのは、主軸１０の偏芯スライダ軸１０ａの平面部のほぼ中央にある第１ピポッド部１０ｄである。
スライダプレート２７は、ステンレス鋼、合金工具鋼またはばね鋼などの鉄系金属で形成されている。しかしながら、スライダプレート２７の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、第１ピポッド部１０ｄは、主軸１０と同材料の鋳鉄または機械構造用合金鋼などの鉄系金属で形成されている。しかしながら、主軸１０の偏芯スライダ軸１０ａの平面部のほぼ中央にある第１ピポッド部１０ｄを含む主軸１０の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００２４】
なお、実施の形態２のスクロール圧縮機が有する摺動部を表２にまとめて示した。表２では、摺動部を構成する２つの部品（第１部品、第２部品）の名称と、それらの部品の母材名とを記載した。また、摺動部を構成する２つの部品に、前述した表面処理（コーティングで代表表示）を施し、若しくはセラミック材または樹脂への置き換えを行うことを、＊印によって明示した。
【表２】
2015140869.tif 000004
【００２５】
実施の形態３．
図１０は、この発明の実施の形態３に係るスクロール圧縮機の縦断面を概略的に記載した概略図である。図１１は、図１０に記載の揺動スクロール２とオルダムリング７、及び固定スクロール１とオルダムリング７で構成される摺動部を説明するための斜視図である。
実施の形態１または実施の形態２では、オルダムリング７が揺動スクロール２とフレーム３との間に配置されたスクロール圧縮機について説明した。これらと比較して、実施の形態３では、オルダムリング７が、揺動スクロール２と固定スクロール１との間に配置されており、且つ、揺動スクロール２のスラスト軸受部２ｈに、スラスト軸受部材２ｇを備えたスクロール圧縮機である。なお、以下の説明では、実施の形態１または実施の形態２と重複する部分については、説明を省略する。
揺動スクロール２は、その鏡板２ｂのラップ部２ａを形成した側と同じ側に、オルダムリング７のキーである下側凸部７ｄを収容して摺動させるためのオルダム溝２ｆを備えている。また、固定スクロール１は、その鏡板２ｂのラップ部２ａを形成した側と同じ側に、オルダムリング７のキーである上側凸部７ｃを収容して摺動させるオルダム溝１ｇを備えている。これによって、揺動スクロール２を、固定スクロール１と揺動運動をさせるようにしている。この場合、揺動スクロール２のオルダム溝２ｆと、オルダムリング７の下側凸部７ｄとは、摺れ合う関係にあり摺動部を構成する。また、固定スクロール１のオルダム溝１ｇと、オルダムリング７の上側凸部７ｃとは、摺れ合う関係にあり摺動部を構成する。
揺動スクロール２のオルダム溝２ｆは、揺動スクロール２と同材料の鋳鉄などの鉄系金属あるいはＡｌ−Ｓｉ系の合金属で形成されている。しかしながら、揺動スクロール２のオルダム溝２ｆを含む揺動スクロール２の表面には、ＤＬＣ、ＤＬＣ−Ｓｉ、ＣｒＮ、ＴｉＮ、ＴｉＣＮ、ＷＣＣ、ＶＣのいずれかのコーティング、あるいは、リン酸マンガン皮膜、二硫化モリブデン皮膜のいずれかの皮膜処理が施されている。
固定スクロール１のオルダム溝１ｇは、固定スクロール１と同材料の鋳鉄などの鉄系金属で形成されている。しかしながら、固定スクロール１のオルダム溝１ｇを含む固定スクロール１の表面には、ＤＬＣ、ＤＬＣ−Ｓｉ、ＣｒＮ、ＴｉＮ、ＴｉＣＮ、ＷＣＣ、ＶＣのいずれかのコーティング、あるいは、リン酸マンガン皮膜、二硫化モリブデン皮膜のいずれかの皮膜処理が施されている。
オルダムリング７の上下の凸部７ｃ，７ｄは、オルダムリング７と同材料の焼結などの鉄系金属あるいはＡｌ−Ｓｉ系の合金属の高剛性で、且つ、軽量な材料で形成されている。しかしながら、オルダムリング７の各凸部７ｃ，７ｄを含むオルダムリング７の表面には、ＤＬＣ、ＤＬＣ−Ｓｉ、ＣｒＮ、ＴｉＮ、ＴｉＣＮ、ＷＣＣ、ＶＣのいずれかのコーティング、あるいは、リン酸マンガン皮膜、二硫化モリブデン皮膜のいずれかの皮膜処理が施されている。
【００２６】
図１２は、図１０に記載の揺動スクロール２に設けられたスラスト軸受部材２ｇとスラストプレート６で構成される摺動部を説明するための斜視図である。
揺動スクロール２に設けられたスラスト軸受部材２ｇとスラストプレート６とは、摺れ合う関係にあり摺動部を構成する。実施の形態３では、揺動スクロール２の鏡板２ｂのラップ部２ａを形成した側と同じ側に、オルダム溝２ｆが配置されているので、揺動スクロール２の鏡板２ｂのラップ部２ａを形成した側と反対側の揺動スクロール２の背面に、大きなスラスト軸受部２ｈを形成することができる。スラスト軸受部２ｈは、スラスト軸受部材２ｇを備える。スラストプレート６の摺動面６ａと潤滑油を介して密着するのは、スラスト軸受部材２ｇであり、スラストプレート６の摺動面６ａと揺動スクロール２のスラスト軸受部材２ｇとでスラスト軸受を構成している。
揺動スクロール２は、鋳鉄などの鉄系金属あるいはＡｌ−Ｓｉ系の合金属で形成されている。そこで、スラスト軸受部材２ｇには、ＰＴＦＥ、ＰＯＭ、カーボンなどを主成分としている非金属系の材料が使用されている。スラストプレート６は、ステンレス鋼、合金工具鋼またはばね鋼などの鉄系金属で形成されている。しかしながら、摺動面６ａを含むスラストプレート６の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００２７】
なお、実施の形態３のスクロール圧縮機が有する摺動部を表３にまとめて示した。表３では、摺動部を構成する２つの部品（第１部品、第２部品）の名称と、それらの部品の母材名とを記載した。また、摺動部を構成する２つの部品に、前述した表面処理（コーティングで代表表示）を施し、若しくはセラミック材または樹脂への置き換えを行うことを、＊印によって明示した。
【表３】
2015140869.tif 000005
【００２８】
この実施の形態では、揺動スクロール２を揺動運動させるときに、フレーム３を介さずに、固定スクロール１と揺動スクロール２を直接オルダムリング７にて位相決めをすることができる。このため、固定スクロール１と揺動スクロール２の揺動運動を行うときの位相を高精度に保つことができる。その結果、揺動スクロール２のラップ部２ａと固定スクロール１のラップ部１ａとによって形成される圧縮室２３の漏れを少なくして、高性能なスクロール圧縮機を得ることができる。また、揺動スクロール２のスラスト軸受部２ｈを大きくし、そこにスラスト軸受部材２ｇが備えられているので、スラスト軸受の摺動特性が向上し、摺動損失が低減されている。したがって、スクロール圧縮機の高性能化および信頼性の向上を図ることができる。
【００２９】
実施の形態４．
図１３は、この発明の実施の形態４に係るスクロール圧縮機の縦断面を概略的に記載した概略図である。図１４は、図１３に記載の揺動スクロール２に設けたスラストプレート６とフレーム３に設けたスラスト軸受部材３ｇとで構成される摺動部を説明するための斜視図である。
実施の形態４のスクロール圧縮機は、揺動スクロール２の鏡板２ｂのラップ部２ａを形成した側と反対側の揺動スクロール２の背面にスラストプレート６を配設し、フレーム３のスラスト支持部にスラスト軸受部材３ｇを備えたものである。なお、以下の説明では、実施の形態１〜３と重複する部分については、説明を省略する。
密閉容器２０内に、ホルダ２８を介して、固定スクロール１、揺動スクロール２、フレーム３等からなる圧縮機構部と、電動機ステータ９と電動機ロータ８とで構成される電動機と、を固定している。そして、揺動スクロール２の鏡板２ｂのラップ部２ａを形成した側と反対側背面にはスラストプレート６を配設してある。スラストプレート６と、フレーム３のスラスト支持部に設けたスラスト軸受部材３ｇとでスラスト軸受を構成している。このため、スラストプレート６とスラスト軸受部材３ｇは摺れ合う関係となり、摺動部を構成する。
なお、揺動スクロール２の鏡板２ｂのラップ部２ａを形成した側と反対側背面には、オルダムリング７のキーである上側凸部７ａを収容するオルダム溝２ｆが形成されている。そのため、そのオルダム溝２ｆを避けるような形状のスラストプレート６を、接着あるいはボルトなどによって貼付けしている。また、スラスト軸受部材３ｇは、フレーム３の主軸受４近傍にあるスラスト支持部に配設されている。
スラストプレート６は、ステンレス鋼、合金工具鋼またはばね鋼などの鉄系金属で形成されている。しかしながら、スラストプレート６の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。また、フレーム３は、鋳鉄などの鉄系金属で形成されている。スラスト軸受部材３ｇは、ＰＴＦＥ、ＰＯＭ、カーボンなどを主成分とした非金属系の材料が使用されている。
【００３０】
なお、実施の形態４のスクロール圧縮機が有する摺動部を表４にまとめて示した。表４では、摺動部を構成する２つの部品（第１部品、第２部品）の名称と、それらの部品の母材名とを記載した。また、摺動部を構成する２つの部品に、前述した表面処理（コーティングで代表表示）を施し、若しくはセラミック材または樹脂への置き換えを行うことを、＊印によって明示した。
【表４】
2015140869.tif 000006
【００３１】
実施の形態４に係るスクロール圧縮機では、スラスト軸受部材３ｇをコンパクトに構成することができ、スラスト軸受の摺動特性を維持しながら、摺動損失の低減によって高性能化が実現されている。さらに、高価な軸受部材の使用量が低減されている。従って、低コスト、高信頼性および高性能を達成したスクロール圧縮機を得ることができる。
【００３２】
実施の形態５．
図１５は、この発明の実施の形態５に係るスクロール圧縮機の縦断面を概略的に記載した概略図である。図１６は、図１５に記載の圧縮機構部の拡大図である。
実施の形態５のスクロール圧縮機は、実施の形態１〜４のフレーム３を、第１のフレーム（フレームＡとも称する）２９と第２のフレーム（フレームＢとも称する）３０とに分けることによって、主軸下部のサブフレーム１５を省略した態様である。そして、密閉容器２０内に、第２のフレーム３０を介して、固定スクロール１、揺動スクロール２、第１のフレーム２９を備えた圧縮機構部と、電動機ステータ９及び電動機ロータ８とで構成される電動機と、を固定している。また、揺動軸受５を主軸１０の先端に偏芯させて配設してあり、揺動スクロール２の鏡板２ｂのラップ部２ａと反対側の背面の中央には、揺動軸ピポッド部２ｋを備えた構成としている。なお、以下の説明では、実施の形態１〜４と重複する部分については、説明を省略する。
【００３３】
第１のフレーム２９の中央に設けられたフレーム軸受４ｃの内側と、主軸１０の上端部に位置する第１の外周部１０ｇの外周とが潤滑油を介して密着して主軸受部Ａを構成している。それらは摺れ合う関係にあり摺動部を構成している。また、第２のフレーム３０の中央に設けられたフレーム軸受４ｄの内側と、主軸１０のほぼ中央部に位置する第２の外周部１０ｈの外周とが潤滑油を介して密着して主軸受部Ｂを構成している。これらも摺れ合う関係にあり摺動部を構成している。主軸１０の自重を支えるのは、主軸１０のスラスト軸面１０ｆと第２のフレーム３０の副スラスト軸受３０ｇである。主軸１０の上端部には、主軸１０の回転中心から偏芯した位置に揺動軸受５が埋設されている。揺動軸受５には、スリーブ１２が収容されており、スリーブ１２の内側には、揺動スクロール２の鏡板２ｂのラップ部２ａと反対側の背面の中央に設けられた揺動軸ピポッド部２ｋが挿入されている。スリーブ１２の内側の内周面と潤滑油を介して密着するのは、揺動軸ピポッド部２ｋである。揺動軸ピポッド部２ｋは、円筒面から概略円弧形状あるいは球形状で突出した部分である。
また、揺動スクロール２の鏡板２ｂのラップ部２ａを形成した側と反対側背面に、接着あるいはボルトなどによって貼付けされたスラストプレート６と、第１のフレーム２９のフレーム軸受４ｃの近傍にあるスラスト支持部に配設されたスラスト軸受部材（スラストメタルとも称する）２９ｇとは、スラスト軸受を構成している。従って、スラストプレート６とスラスト軸受部材２９ｇとは、摺れ合う関係にあり摺動部を構成している。
ここで、フレーム軸受４ｃ及びフレーム軸受４ｄの内径、副スラスト軸受３０ｇの表面には、ＰＴＦＥ、ＰＯＭ、カーボンなどを主成分とした非金属系の材料が使用されている。また、主軸１０の第１の外周部１０ｇと、第２の外周部１０ｈと、スラスト軸面１０ｆとは、主軸１０と同材料の鉄などの鉄系金属で形成されている。しかしながら、外周部１０ｇと、第２の外周部１０ｈと、スラスト軸面１０ｆとを含む主軸１０の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、スリーブ１２の外周または内周面１２ａは、スリーブ１２と同材料の焼結または合金工具鋼などの高硬度な鉄系金属で形成されている。しかしながら、スリーブ１２の外周または内周面１２ａを含むスリーブ１２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
さらに、揺動軸ピポッド部２ｋは、揺動スクロール２と同材料の鋳鉄などの鉄系金属あるいはＡｌ−Ｓｉ系の合金属で形成されている。しかしながら、揺動軸ピポッド部２ｋを含む揺動スクロール２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００３４】
なお、実施の形態５のスクロール圧縮機が有する摺動部を表５にまとめて示した。表５では、摺動部を構成する２つの部品（第１部品、第２部品）の名称と、それらの部品の母材名とを記載した。また、摺動部を構成する２つの部品に、前述した表面処理（コーティングで代表表示）を施し、若しくはセラミック材または樹脂への置き換えを行うことを、＊印によって明示した。
【表５】
2015140869.tif 000007
【００３５】
この実施の形態では、揺動スクロール２の遠心力および荷重を受ける揺動軸受５と主軸１０の回転を支持するフレーム軸受４ｃとを近づけて配置してあるので、主軸１０のたわみを少なくすることができる。従って、この実施の形態では、加工が複雑である主軸１０へのピポッド部加工が不要になり、低コスト、高信頼性および高性能を達成したスクロール圧縮機を得ることができる。
【００３６】
実施の形態６．
図１７は、この発明の実施の形態６に係るスクロール圧縮機の縦断面を概略的に記載した概略図である。なお、以下の説明では、実施の形態１〜５と重複する部分については、説明を省略する。固定スクロール１は、その外周部がガイドフレーム３２にボルトによって締結されている。固定スクロール１の鏡板１ｂのラップ部１ａと同じ側にはオルダム溝１ｇが形成され、オルダムリング７のキーである上側凸部７ｃを摺動自在に収容している。さらに、固定スクロール１の側面方向からは、吸入管２１が、密閉容器２０を貫通して圧入されている。固定スクロール１に対向する揺動スクロール２には、その鏡板２ｂのラップ部２ａと同じ側にオルダム溝２ｆが形成され、オルダムリング７のキーである下側凸部（図示せず）を摺動自在に収容している。揺動スクロール２の鏡板２ｂのラップ部２ａと反対側の背面のほぼ中央には揺動軸受５を備えられている。ラップ部２ａと反対側の背面の外周はスラスト軸受部２ｈが、コンプライアントフレーム３１のスラスト軸受部３１ａと摺動自在に構成されている。揺動スクロール２の鏡板２ｂには、ラップ部２ａ側とスラスト軸受部２ｈ側とを連通する抽気孔２ｊが形成されており、揺動スクロール２の公転運動によって、抽気孔２ｊとコンプライアントフレーム３１の開口部３１ｂとが開口する。
コンプライアントフレーム３１の中心には、電動機によって回転駆動される主軸１０を半径方向に支持する主軸受３１ｃ及び補助主軸受３１ｄが形成されている。また、コンプライアントフレーム３１には、スラスト軸受部３１ａの面からフレーム空間３１ｅに開口する開口部３１ｂが設けられている。冷媒は、揺動スクロール２の鏡板２ｂのラップ部２ａ側から抽気孔２ｊを通り、開口部３１ｂを経由して圧力調整弁（図示せず）によって適正な圧力に調整されて、フレーム空間３１ｅに取り入れられる。
ガイドフレーム３２の外周は焼嵌めもしくは溶接などによって密閉容器２０に固定されている。また、ガイドフレーム３２の内側上方には上部摺動円筒面３２ａが形成されており、コンプライアントフレーム３１の外周面の上方に形成された上部摺動円筒面３１ｆと係合されている。ガイドフレーム３２の内側下方には下部摺動円筒面３２ｂが形成されており、コンプライアントフレーム３１の外周面の下方に形成された下部摺動円筒面３１ｇと係合されている。なお、ガイドフレーム３２の内周面、上部摺動円筒面３２ａ、下部摺動円筒面３２ｂ、コンプライアントフレーム３１、上部摺動円筒面３１ｆ、及び下部摺動円筒面３１ｇで区画された空間は、フレーム空間３１ｅである。
主軸１０の揺動スクロール２側上端部には、揺動スクロール２の鏡板２ｂのラップ部２ａを形成した側と反対側背面に、揺動軸受５と回転自在に係合する主軸偏芯部１０ｉが形成されている。また、その下側には第１のバランサ１３ｂが取り付けられている。さらにその下には、コンプライアントフレーム３１の主軸受３１ｃ及び補助主軸受３１ｄと回転自在に係合する主軸部１０ｋが形成されている。
主軸１０の下端には、サブフレーム１５の副軸受１５ｂと回転自在に係合する副軸部１０ｊが形成されており、この副軸部１０ｊと主軸部１０ｋとの間に電動機ロータ８が取り付けられている。また、電動機ロータ８の上端面には第２のバランサ１３ａが、下端面には第３のバランサ１４が締結されており、第１のバランサ１３ｂを含めた３個のバランサによって静的バランス及び動的バランスがとられている。さらに、主軸１０の下端には、オイルポンプ１８が取り付けられており、密閉容器２０の底部の油溜め１９の潤滑油を吸い上げて、主軸１０の油穴１０ｃを通過させて、各摺動部へ潤滑油を供給している。また、主軸１０の最下端には、主軸１０の自重を支えるためのスラスト軸受１５ｃがサブフレーム１５に備えられている。
【００３７】
次に、このスクロール圧縮機の動作について説明する。定常時の密閉容器２０内は吐出ガス雰囲気の高圧となるので、密閉容器２０内の油溜め１９の潤滑油がオイルポンプ１８、主軸１０の油穴１０ｃを経由して揺動軸受空間３７ａに導かれる。そして、高圧になっている潤滑油は揺動軸受５で減圧され、吸入圧よりも高く且つ吐出圧以下の中間圧となり、ボス部外側空間３７ｂに流れる。他方、揺動スクロール２の鏡板２ｂに設けられた抽気孔２ｊは、コンプライアントフレーム３１に設けられた開口部３１ｂのスラスト軸受付近と常時もしくは間欠的に開口する。このため、固定スクロール１と揺動スクロール２とで形成される圧縮室２３からの圧縮途中の吸入圧よりも高く、且つ吐出圧よりも低い中間圧の冷媒が、揺動スクロール２の抽気孔２ｊ及びコンプライアントフレーム３１の開口部３１ｂを介してフレーム空間３１ｅに導かれる。コンプライアントフレーム３１には、ボス部外側空間３７ｂの中間圧に起因する力及びスラスト軸受部３１ａを介しての揺動スクロール２からの押付け力の合計が下向きの力として作用するが、フレーム空間３１ｅの中間圧に起因する力及び下端面の高圧雰囲気に露出している部分に作用する高圧に起因する力の合計が上向きの力として作用している。したがって、定常時には、前述の上向きの力が前述の下向きの力よりも大きくなるように設定されている。このため、コンプライアントフレーム３１は、上部摺動円筒面３１ｆがガイドフレーム３２の上部摺動円筒面３２ａに案内され、下部摺動円筒面３１ｇがガイドフレーム３２の下部摺動円筒面３２ｂに案内される。すなわち、コンプライアントフレーム３１はガイドフレーム３２と摺動自在になっており、固定スクロール１側に浮き上がっている。そして、スラスト軸受部３１ａを介してコンプライアントフレーム３１に押付けられている揺動スクロール２も、同じく上方に浮き上がり、その結果、揺動スクロール２の歯先面と歯底面２ｅは、固定スクロール１の歯底面１ｅと歯先面にそれぞれ接触して摺動する。
【００３８】
コンプライアントフレーム３１の中央に設けられたスラスト軸受部３１ａと、揺動スクロール２の鏡板２ｂのラップ部２ａと反対側の背面のスラスト軸受部２ｈとは、摺れ合う関係にあり摺動部を構成している。また、コンプライアントフレーム３１の上部摺動円筒面３１ｆ、下部摺動円筒面３１ｇと、ガイドフレーム３２の上部摺動円筒面３２ａ、下部摺動円筒面３２ｂとは、それぞれ上部同士、下部同士で摺れ合う関係にあり摺動部を構成している。
コンプライアントフレーム３１のスラスト軸受部３１ａ、上部摺動円筒面３１ｆ、及び下部摺動円筒面３１ｇは、コンプライアントフレーム３１と同材料の鋳鉄などの鉄系金属で形成されている。しかしながら、スラスト軸受部３１ａ、上部摺動円筒面３１ｆ、及び下部摺動円筒面３１ｇを含むコンプライアントフレーム３１の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、ガイドフレーム３２の上部摺動円筒面３２ａと下部摺動円筒面３２ｂは、ガイドフレーム３２と同材料の鋳鉄などの鉄系金属で形成されている。しかしながら、ガイドフレーム３２の上部摺動円筒面３２ａと下部摺動円筒面３２ｂを含むガイドフレーム３２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、揺動スクロール２の鏡板２ｂのラップ部２ａと反対側の背面のスラスト軸受部２ｈは、揺動スクロール２と同材料の鋳鉄などの鉄系金属あるいはＡｌ−Ｓｉ系の合金属で形成されている。しかしながら、スラスト軸受部２ｈを含む揺動スクロール２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
さらに、揺動スクロール２の歯先面と固定スクロール１の歯底面１ｅ、揺動スクロール２の歯底面２ｅと固定スクロール１の歯先面とが摺動部を構成している。揺動スクロール２の歯先面と歯底面２ｅは、揺動スクロール２と同材料の鋳鉄などの鉄系金属あるいはＡｌ−Ｓｉ系の合金属で形成されている。しかしながら、揺動スクロール２の歯先面と歯底面２ｅを含む揺動スクロール２の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
固定スクロール１の歯先面と歯底面１ｅは、固定スクロール１と同材料の鋳鉄などの鉄系金属あるいはＡｌ−Ｓｉ系の合金属で形成されている。しかしながら、固定スクロール１の歯先面と歯底面１ｅを含む固定スクロール１の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００３９】
また、コンプライアントフレーム３１の中間部にある主軸受３１ｃ及び補助主軸受３１ｄと主軸１０、主軸１０の下端の副軸部１０ｊとサブフレーム１５の副軸受１５ｂ、さらに、主軸１０の最下端とサブフレーム１５に備えてあるスラスト軸受１５ｃとは、それぞれ摺れ合う関係にあり摺動部を構成している。これらの摺動部において、コンプライアントフレーム３１の主軸受３１ｃ及び補助主軸受３１ｄは、ＰＴＦＥ、ＰＯＭ、カーボンなどを主成分とした非金属系の材料が使用されている。
主軸１０の主軸部１０ｋと副軸部１０ｊ、及び主軸１０の最下端は、主軸１０と同材料の鉄などの鉄系金属で形成されている。しかしながら、主軸１０の主軸部１０ｋと副軸部１０ｊ、及び主軸１０の最下端を含む主軸１０の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
サブフレーム１５の副軸受１５ｂには、ＰＴＦＥ、ＰＯＭ、カーボンなどを主成分とした非金属系の材料が使用されている。また、サブフレーム１５のスラスト軸受１５ｃは、サブフレーム１５と同材料の鉄などの鉄系金属で形成されている。しかしながら、サブフレーム１５のスラスト軸受１５ｃを含むサブフレーム１５の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００４０】
なお、実施の形態６のスクロール圧縮機が有する摺動部を表６にまとめて示した。表６では、摺動部を構成する２つの部品（第１部品、第２部品）の名称と、それらの部品の母材名とを記載した。また、摺動部を構成する２つの部品に、前述した表面処理（コーティングで代表表示）を施し、若しくはセラミック材または樹脂への置き換えを行うことを、＊印によって明示した。
【表６】
2015140869.tif 000008
【００４１】
この実施の形態では、揺動スクロール２の歯先面と歯底面２ｅを、固定スクロール１のそれぞれ歯底面１ｅと歯先面に適度に接触させることで、シール材を使用することなくラップ部先端の漏れを低減することができる。また、ピポッド部を持たない構造としているため、ピポッド部加工が不要になる。その結果、この実施の形態では、低コスト、高信頼性および高性能を実現したスクロール圧縮機を得ることができる。
【００４２】
実施の形態７．
図１８は、この発明の実施の形態７に係るスクロール圧縮機の縦断面を概略的に記載した概略図である。なお、以下の説明では、実施の形態１〜６と重複する部分については、説明を省略する。
この実施の形態に係る圧縮機は、密閉容器２０を有し、容器上部に電動機ステータ９及び電動機ロータ８からなる電動機が収容され、容器下部に冷媒を圧縮するための圧縮機構部を構成している機械部品が収容されている。密閉容器２０の側壁上部の電動機よりも上方には、冷媒ガスを吸入するための吸入管２１が側方に向けて突設されている。密閉容器２０の側壁下部の機械部品に対応した位置には、圧縮された冷媒を外部に吐出するための吐出管２２が突設されている。電動機の内、電動機ロータ８には、主軸１０の上部が挿入されている。主軸１０の中央部は機械部品を貫通して密閉容器２０の下方まで伸びている。主軸１０の最下端にはオイルポンプ１８が備えられている。オイルポンプ１８は、密閉容器２０下部の油溜め１９に封入されている潤滑油に浸漬されている。電動機ロータ８によって駆動された主軸１０の回転によってオイルポンプ１８が駆動され、オイルポンプ１８によって汲み上げられた潤滑油を機械部品の各摺動部に供給するため、主軸１０には油穴１０ｃが貫通形成されている。
【００４３】
圧縮機構部を構成する機械部品は、上下一対の固定スクロール３３，３４を備えている。各固定スクロール３３，３４は、密閉容器２０の内壁面にホルダ２８を介して固定される。上側の固定スクロール３３の上には、ホルダ２８を介して電動機ステータ９が固定されている。また、上側の固定スクロール３３の鏡板３３ｂの中央には、主軸１０を通すための上部主軸受４ａを有し、鏡板３３ｂの下面には渦巻形状のラップ部３３ａが備わる。下側の固定スクロール３４は上側の固定スクロール３３と概略対称形状であり、下側の固定スクロール３４の鏡板３４ｂの中央には、主軸１０を通し、スリーブ１２を収容するための下部主軸受４ｂを有し、鏡板３４ｂの上面には渦巻形状のラップ部３４ａが備わっている。そして、上下一対の固定スクロール３３，３４はそれぞれ渦巻側を向き合わせに配置し、これらの固定スクロール３３，３４の間に、揺動スクロール３５が配置されている。揺動スクロール３５は、円盤状の鏡板３５ｂの上下両側に渦巻形状のラップ部３５ａ，３５ｃを備えており、鏡板３５ｂの中央には、主軸１０のほぼ中央にある偏芯スライダ軸１０ａを通し、スライダ１１を収容する揺動軸受５を有している。
【００４４】
揺動スクロール３５の鏡板３５ｂの上面側では、揺動スクロール３５の上面側ラップ部３５ａの表面が、上側の固定スクロール３３のラップ部３３ａの表面の複数箇所でそれぞれ接触しており、これらの接触部の間で冷媒ガスを圧縮するための圧縮室２３が形成される。また、揺動スクロール３５の鏡板３５ｂの下面側では、揺動スクロール３５の下面側ラップ部３５ｃと下側の固定スクロール３４のラップ部３４ａとの間で、上面側と同様に、冷媒ガスを圧縮するための圧縮室２３が形成される。
揺動スクロール３５の鏡板３５ｂの上面側では、揺動スクロール３５の上面側ラップ部３５ａの歯先面にシール２５を配設し、上側の固定スクロール３３のラップ部３３ａの歯先面にシール２４を配設してあり、シール２５，２４の背圧によって揺動スクロール３５を下側固定スクロール３４側へ軽く押付けている。これによって、揺動スクロール３５の下側のラップ部３５ｃの歯先面と下側の固定スクロール３４の歯底面３４ｅとを適度に接触させ、且つ揺動スクロール３５の下側の歯底面３５ｅと固定スクロール３４のラップ部３４ａの歯先面とを適度に接触させることで、ラップ部の歯先面からの冷媒漏れを抑制している。
また、揺動スクロール３５の中央部には主軸１０の偏芯スライダ軸１０ａを挿入してスライダ１１を収容するための揺動軸受５が形成されている。揺動軸受５の両端には、ラップ部３５ａ，３５ｃの高さとほぼ同じ高さの寸法を持ったボス部が形成され、さらにそれらの端部には、圧縮室２３とスライダ１１を収容する空間とを仕切るためのシールリング３６が配設されている。シールリング３６は、上下の固定スクロール３３，３４のシールリング摺動面３３ｋ，３４ｋと摺動運動をする。また、主軸１０の偏芯スライダ軸１０ａは、揺動スクロール３５の上下面のラップ部３５ａ，３５ｃの表面と固定スクロール３３，３４のラップ部３３ａ，３４ａの表面がちょうど接触するだけの長さだけ、主軸１０の回転中心から偏芯されている。
上下固定スクロール３３，３４の外周側には、密閉容器２０内から圧縮室２３に冷媒が流れる吸入ポートが設けられている。上下の固定スクロール３３，３４と揺動スクロール３５で形成される圧縮室２３では、冷媒は渦巻形状の外側から内部方向に流れ、上側の固定スクロール３３のラップ部３３ａと揺動スクロール３５の上面のラップ部３５ａの間の圧縮室２３で圧縮される。圧縮された冷媒は、揺動スクロール３５のボス部近傍にある連通孔３５ｄを通り、下側の固定スクロール３４のラップ部３４ａと揺動スクロール３５の下面のラップ部３５ｃとの間の圧縮室２３で圧縮された冷媒と合流する。合流した冷媒は、下側の固定スクロール３４の下部主軸受４ｂ近傍の吐出弁２６を開いて、吐出管２２を通り、密閉容器２０外へ吐出される。
【００４５】
主軸１０と各スクロール３３，３４，３５との間には、既に説明しているように、上部主軸受４ａ、下部主軸受４ｂ、揺動軸受５が配設されている。主軸１０の偏芯スライダ軸１０ａと揺動スクロール３５の揺動軸受５の内面との間にはスライダ１１が嵌合され、偏芯スライダ軸１０ａに備わった第１ピポッド部とスライダ１１の内側のスライド面が潤滑油を介して密接し摺動部を構成している。また、下部主軸受４ｂの内面と主軸１０の第２ピポッド部との間にはスリーブ１２が嵌合され潤滑油を介して密接し摺動部を構成している。これらの摺動部を潤滑する潤滑油は、主軸１０の回転によってオイルポンプ１８が駆動することによって、油穴１０ｃを通り供給されるようになっている。
また、主軸１０には上側の固定スクロール３３の上側位置と下側の固定スクロール３４の下側位置とに、それぞれ偏心回転運動する揺動スクロール３５の静バランス及び動バランスをとるためのバランサ１３，１４がそれぞれ設けられている。主軸１０の自重を含む鉛直方向の荷重を支えるのは、主軸１０のスラスト軸面１０ｆと上側の固定スクロール３３のスラスト軸面３３ｉである。また、上側の固定スクロール３３のラップ部３３ａおよび揺動スクロール３５の間のラップ部３５ａの外周側には、揺動スクロール３５の自転を抑制し、揺動スクロール３５に揺動運動を行わせるためのオルダムリング７が配置されている。
【００４６】
シール２４，２５及びシールリング３６は、ＰＴＦＥ、ＰＰＳ、ＬＣＰ、セラミック材料などの非金属材料で形成されている。このシール２５と摺動する上側の固定スクロール３３の歯底面３３ｅは、上側の固定スクロール３３と同材料の鋳鉄などの鉄系金属あるいはＡｌ−Ｓｉ系の合金属で形成されている。しかしながら、上側の固定スクロール３３の歯底面３３ｅを含む上側の固定スクロール３３の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
シール２４と摺動する揺動スクロール３５の鏡板３５ｂの上側の歯底面３５ｅは、揺動スクロール３５と同材料の鋳鉄などの鉄系金属あるいはＡｌ−Ｓｉ系の合金属で形成されている。しかしながら、揺動スクロール３５の歯底面３５ｅを含む揺動スクロール３５の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
また、シールリング３６と摺動する上側の固定スクロール３３のシールリング摺動面３３ｋは、上側の固定スクロール３３と同材料の鋳鉄などの鉄系金属あるいはＡｌ−Ｓｉ系の合金属で形成されている。しかしながら、上側の固定スクロール３３のシールリング摺動面３３ｋを含む上側の固定スクロール３３の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
もう一方のシールリング３６と摺動する下側の固定スクロール３４のシールリング摺動面３４ｋは、下側の固定スクロール３４と同材料の鋳鉄などの鉄系金属あるいはＡｌ−Ｓｉ系の合金属で形成されている。しかしながら、下側の固定スクロール３４のシールリング摺動面３４ｋを含む下側の固定スクロール３４の表面には、ＤＬＣ、ＤＬＣ−Ｓｉ、ＣｒＮ、ＴｉＮ、ＴｉＣＮ、ＷＣＣ、ＶＣなどのいずれかのコーティング、あるいは、リン酸マンガン皮膜、二硫化モリブデン皮膜などのいずれかの皮膜処理が施されている。
【００４７】
なお、実施の形態７のスクロール圧縮機が有する摺動部を表７にまとめて示した。表７では、摺動部を構成する２つの部品（第１部品、第２部品）の名称と、それらの部品の母材名とを記載した。また、摺動部を構成する２つの部品に、前述した表面処理（コーティングで代表表示）を施し、若しくはセラミック材または樹脂への置き換えを行うことを、＊印によって明示した。
【表７】
2015140869.tif 000009
【００４８】
次に、このスクロール圧縮機の動作について説明する。電動機ステータ９に電圧が印加されて電動機ロータ８が駆動すると、主軸１０が軸心を中心として回転する。この時、主軸１０の偏芯スライダ軸１０ａは軸心（回転中心）に対し、公転運動を行う。この公転運動によって、偏芯スライダ軸１０ａが嵌合されている揺動スクロール３５は、上下固定スクロール３３，３４と揺動運動する。揺動スクロール３５の自転を抑制するオルダムリング７を備えるため、揺動スクロール３５は自転することなく揺動運動する。そして、揺動スクロール３５の鏡板３５ｂの上下面では、それぞれのラップ部３５ａ，３３ａ、３５ｃ，３４ａのそれぞれの接触箇所が、中心に向かって移動し、それぞれの圧縮室２３は中心に向かい容積を縮小しながら移動する。この動作によって、冷媒は、吸入管２１から吸入ポートを通り、圧縮室２３に流入して圧縮される。圧縮された冷媒は、ラップ部３５ａ，３３ａ、３５ｃ，３４ａの中心部に到達した後、吐出ポート３４ｍを経て吐出管２２から吐出される。
実施の形態７のスクロール圧縮機は、揺動スクロール３５の円盤状の鏡板３５ｂの上下両側に渦巻形状のラップ部３５ａ，３５ｃを備えている。このため、揺動スクロール３５に発生するスラスト力を相殺でき、スラスト軸受構造を必要としない。また、揺動スクロール３５の上側ラップ部の歯先面に配設したシール２５の背圧によって、揺動スクロール３５を下側固定スクロール３４側へ軽く押付けている。その結果、揺動スクロール３５の下側のラップ部３５ｃの歯先面と下側の固定スクロール３４の歯底面３４ｅとが適度に接触し、且つ揺動スクロール３５の下側の歯底面３５ｅと固定スクロール３４のラップ部３４ａの歯先面とが適度に接触する。このため、揺動スクロール３５の下側ラップ部３５ｃの歯先面にシールを使用することなく、ラップ部先端での漏れを低減することができる。したがって、低コスト、高信頼性および高性能が達成されたスクロール圧縮機を得ることができる。
【００４９】
ところで、実施の形態１〜７において示した表１〜７の中において、用語「コーティング」は、各実施の形態で説明しているような材料にて摺動面にコーティング又は皮膜を施す意味を表す。用語「セラミック」は、少なくとも摺動面をシリコンカーバイド、二酸化ジルコニウム、窒化ケイ素などのセラミック材で構成する意味を表す。用語「ＰＴＦＥ」は、少なくとも摺動面をポリテトラフルオロエチレンなどの樹脂若しくはカーボンなどの非金属材料で構成する意味を表す。
【００５０】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００５１】
たとえば、鉄系金属又はアルミ系金属を直接露出させない処置が、表１〜７に示した摺動部の全てにではなく、それらの一部に施されていても、この発明の作用効果を得ることができる。また、鉄系金属又はアルミ系金属を直接露出させない処置が、摺動部を構成している一方の部品の摺動面だけに施されていていても、この発明の作用効果を得ることができる。
【符号の説明】
【００５２】
１  固定スクロール、１ａ  固定スクロールラップ部、１ｂ  固定スクロール鏡板、１ｄ  固定スクロールラップ部側面、１ｅ  固定スクロール歯底面、１ｆ  吐出ポート、１ｇ  固定スクロールオルダム溝、２  揺動スクロール、２ａ  揺動スクロールラップ部、２ｂ  揺動スクロール鏡板、２ｄ  揺動スクロールラップ部側面、２ｅ  揺動スクロール歯底面、２ｆ  揺動スクロールオルダム溝、３  フレーム、３ａ  フレーム吸入ポート、３ｆ  フレームオルダム溝、４  主軸受、５  揺動軸受、６  スラストプレート、６ａ  摺動面、７  オルダムリング、７ａ，７ｂ，７ｃ，７ｄ  キー凸部、８  電動機ロータ、９  電動機ステータ、１０  主軸、１０ａ  偏芯スライダ軸、１０ｂ  ポンプ軸、１０ｃ  油穴、１０ｄ  第１ピポッド部、１０ｅ  第２ピポッド部、１１  スライダ、１２  スリーブ、１３，１４  バランサ、１５  サブフレーム、１５ａ  軸受収納部、１５ｂ  副軸受、１５ｃ  スラスト軸受、１６  ボールベアリング、１８  オイルポンプ、１９  油溜め、２０  密閉容器、２０ａ  密閉容器胴部、２０ｂ  密閉容器下部、２０ｃ  密閉容器上部、２１  吸入管、２２  吐出管、２３  圧縮室、２４，２５  シール、２６  吐出弁、２７  スライダプレート、２９  第１のフレーム、３０  第２のフレーム。
【図１】
2015140869.tif 000010
【図２】
2015140869.tif 000011
【図３】
2015140869.tif 000012
【図４】
2015140869.tif 000013
【図５】
2015140869.tif 000014
【図６】
2015140869.tif 000015
【図７】
2015140869.tif 000016
【図８】
2015140869.tif 000017
【図９】
2015140869.tif 000018
【図１０】
2015140869.tif 000019
【図１１】
2015140869.tif 000020
【図１２】
2015140869.tif 000021
【図１３】
2015140869.tif 000022
【図１４】
2015140869.tif 000023
【図１５】
2015140869.tif 000024
【図１６】
2015140869.tif 000025
【図１７】
2015140869.tif 000026
【図１８】
2015140869.tif 000027
【国際調査報告】
2015140869.tif 000028
2015140869.tif 000029
2015140869.tif 000030
2015140869.tif 000031